(57)【要約】【課題】  周囲の環境に影響を与えることなく、リアルタイムに電子メール等のデータの受信を行うことを可能とする。【解決手段】  公共施設等の施設Ｉ内に遮蔽空間を形成し、周囲の環境に影響を与える可能性のある移動パケット通信網ＭＰＮを介した通信を制限する。そして、施設Ｉ内においては、持ち込まれた移動機ＭＳに対して施設内ＬＡＮを介して各種のデータを配信する。この際、施設内サーバＩＳは、各移動機ＭＳに対してローカルメールアドレスを設定し、ゲートウェイサーバＧＷＳに対して電子メールの転送登録を行う。この結果、移動網メールアドレス宛の電子メールがゲートウェイサーバＧＷＳによって転送され、移動機ＭＳに配信される。【選択図】  図１
2005203965.tif 000002
【特許請求の範囲】
【請求項１】
第１ネットワークを介したデータ通信サービスの提供を受ける移動機と、
前記第１ネットワークを介した通信が阻害される所定の空間内に形成された第２ネットワークにて前記移動機に各種のデータを提供する通信サーバと、を備え、
前記通信サーバは、
前記所定の空間に進入した前記移動機から、前記第１ネットワークにて当該移動機を一意に識別するための第１識別情報を取得する第１識別情報取得手段と、
前記取得された前記第１識別情報に基づいて、少なくとも前記第２ネットワークにて当該移動機を一意に識別するための第２識別情報を設定する第２識別情報設定手段と、
前記移動機に配信すべき第１データを前記第１識別情報と前記第２識別情報の少なくとも何れか一方に基づいて外部から取得する第１データ取得手段と、
前記取得された第１データを前記第２識別情報により示される移動機に、前記第２ネットワークを介して配信する配信手段と
を具備することを特徴とする移動通信システム。
【請求項２】
前記通信サーバは、
前記取得された第１識別情報と前記設定された第２識別情報を対応付けて記録する識別情報記録手段を更に有し、
前記第１識別情報が少なくとも前記第１データの宛先を示す情報を含む場合に、
前記通信サーバの前記第１データ取得手段は、前記第１識別情報により表される宛先に基づいて前記第１データを取得し、
前記通信サーバの前記配信手段は、当該第１識別情報と対応付けて記録された前記第２識別情報により示される移動機に、当該取得された第１データを配信する
ことを特徴とする請求項１に記載の移動通信システム。
【請求項３】
前記通信サーバの前記第２識別情報設定手段は、前記第１及び第２ネットワークとは異なる第３ネットワークにて前記移動機を一意に識別するためのアドレスを含む前記第２識別情報を設定し、
前記通信サーバの第１データ取得手段は、前記第２識別情報に基づき前記外部としての他の装置から前記第３ネットワークを介して前記第１データを取得する
ことを特徴とする請求項１に記載の移動通信システム。
【請求項４】
前記第３ネットワークを介して通信を行うサーバであって、前記第３ネットワークにおいて予め定められたアドレスと前記第２識別情報とを対応付けて記録した第２サーバを更に備え、
前記第２サーバは、
前記アドレスに基づいて前記第３ネットワークから前記第１データを受信する第１データ受信手段と、
前記受信した第１データを記録する第１データ記録手段と、
前記移動機からの要求に応じて、前記記録した第１データを第２識別情報に基づいて前記第３ネットワークに送信する送信手段と、を有し、
前記通信サーバの第１データ取得手段は、前記第２識別情報に基づいて前記外部としての前記第２サーバから前記第３ネットワークを介して前記第１データを取得する
ことを特徴とする請求項３に記載の移動通信システム。
【請求項５】
前記通信サーバは、
前記取得された第１データに対して、当該第１データによって表される内容とは異なる第２の内容を示す第２データを付加する第２データ付加手段を更に有し、
前記通信サーバの前記配信手段は、前記第２データの付加された前記第１データを前記移動機に配信する
ことを特徴とする請求項１に記載の移動通信システム。
【請求項６】
前記通信サーバの前記第２データ付加手段は、前記第２データとして、広告内容を示すデータを前記第１データに付加することを特徴とする請求項１に記載の移動通信システム。
【請求項７】
前記通信サーバの前記第２データ付加手段は、前記第２データを指定する指定情報を前記第１データに記述することにより、前記第１データに前記第２データを付加することを特徴とする請求項１に記載の移動通信システム。
【請求項８】
前記移動機は、少なくとも移動通信網を含む第１ネットワークを介してデータ通信サービスの提供を受けることを特徴とする請求項１に記載の移動通信システム。
【請求項９】
第１ネットワークを介したデータ通信サービスの提供を受ける移動機に対して、前記第１ネットワークを介した通信が阻害される所定の空間内に形成された第２ネットワークにて各種のデータを提供する通信サーバであって、
前記所定の空間に進入した前記移動機から、前記第１ネットワークにて当該移動機を一意に識別するための第１識別情報を取得する第１識別情報取得手段と、
前記取得された前記第１識別情報に基づいて、少なくとも前記第２ネットワークにて当該移動機を一意に識別するための第２識別情報を設定する第２識別情報設定手段と、
前記移動機に配信すべき第１データを前記第１識別情報と前記第２識別情報の少なくとも何れか一方に基づいて外部から取得する第１データ取得手段と、
前記取得された第１データを前記第２識別情報により示される移動機に、前記第２ネットワークを介して配信する配信手段と
を具備することを特徴とする通信サーバ。
【請求項１０】
第１ネットワークを介したデータ通信サービスの提供を受ける移動機と、
前記第１ネットワークを介した通信が阻害される所定の空間内に形成された第２ネットワークにて前記移動機に各種のデータを提供する通信サーバと、を備えた移動通信システムにおけるデータ配信方法であって、
前記通信サーバが、前記所定の空間に進入した前記移動機から、前記第１ネットワークにて当該移動機を一意に識別するための第１識別情報を取得する第１ステップと、
前記通信サーバが、前記取得された前記第１識別情報に基づいて、少なくとも前記第２ネットワークにて当該移動機を一意に識別するための第２識別情報を設定する第２ステップと、
前記通信サーバが、前記移動機に配信すべき第１データを前記第１識別情報と前記第２識別情報の少なくとも何れか一方に基づいて外部から取得する第３ステップと、
前記通信サーバが、前記取得された第１データを当該第２識別情報により示される移動機に、前記第２ネットワークを介して配信する第４ステップと
を具備することを特徴とするデータ配信方法。
【請求項１１】
第１ネットワークを介したデータ通信サービスの提供を受ける移動機に対して、前記第１ネットワークを介した通信が阻害される所定の空間内に形成された第２ネットワークにて、コンピュータにより各種のデータを提供するためのサーバプログラムであって、
前記コンピュータを、
前記所定の空間に進入した前記移動機から、前記第１ネットワークにて当該移動機を一意に識別するための第１識別情報を取得する第１識別情報取得手段、
前記取得された前記第１識別情報に基づいて、少なくとも前記第２ネットワークにて当該移動機を一意に識別するための第２識別情報を設定する第２識別情報設定手段、
前記移動機に配信すべき第１データを前記第１識別情報と前記第２識別情報の少なくとも何れか一方に基づいて外部から取得する第１データ取得手段、
前記取得された第１データを当該第２識別情報により示される移動機に、前記第２ネットワークを介して配信する配信手段
として機能させることを特徴とするサーバプログラム。
【請求項１２】
請求項１０に記載のサーバプログラムを記録したコンピュータに読みとり可能な情報記録媒体。
【発明の詳細な説明】
【技術分野】
【０００１】
本発明は、携帯電話機等の移動機に対して各種データ通信サービスを提供する技術に関する。
【背景技術】
【０００２】
近年、例えば、携帯電話機や簡易型携帯電話機等、移動通信網経由でインターネットに通信接続した移動機の使用者に対して、電子メールサービスやＷＷＷ（World Wide Web）ブラウジングを提供する移動通信システムが各種実現され、ユーザは、移動機を利用することにより自己の置かれている環境に左右されることなく、電子メールの送受信等を行うことが可能となっている。
【０００３】
このようにユーザの利便性が実現される一方において、交通機関等の公共施設内においては、周囲の環境によって移動機通信網を介した通信の利用を制限すべきことが要請されている。ところが、現実には、その要請と反して、移動機の電源が切られずにいるケースが多い。このため、近年、公共施設の内部に遮蔽空間を構成し、移動機通信網を介した通信を強制的に制限する技術も提案されている。ここで、遮蔽空間とは、空間内部を、例えば、Ｎｉ、Ｃｕ、Ａｌ等の導電物質により被覆することにより、施設外部からの電磁波の進入を防止している空間をいう。
【０００４】
しかしながら、かかる技術により移動通信網を介した通信を強制的に制限した場合、公共施設内においては、電子メールの送受信すら不可能な状態となり、当該電子メールがユーザにとって緊急を要するものであっても、受信者側に電子メールが届かない場合が生じる。そこで、事前に電子メールの転送先となる装置を登録しておき、当該転送先に電子メールを転送する電子メールシステムが提案されている（例えば、特許文献１、５頁参照）。
【特許文献１】特開２００１−２３７８７３号
【発明の開示】
【発明が解決しようとする課題】
【０００５】
しかしながら、従来の電子メールシステムにおいては、転送先となる装置が必ずしも移動機のユーザの近傍に存在しているとは限らず、その場合には情報のリアルタイム性を確保することができなかった。特に、ユーザが公共施設を利用していて、一時的に電子メールの受信を行うことができない状況となる場合、他の装置に電子メールが転送されてしまうと当該装置の設置場所に行かない限り電子メールの内容を確認することができなくなってしまう。
【０００６】
本発明は、以上説明した事情に鑑みてなされたものであり、その一例としては周囲の環境に影響を与えることなく、リアルタイムに電子メール等のデータの受信を行うことを可能とする移動通信システム、通信サーバ、データ配信方法並びにサーバプログラム及びそのプログラムを記録した情報記録媒体を提供することを目的とする。
【課題を解決するための手段】
【０００７】
上述した課題を解決するため、請求項１に記載の発明は、移動通信網等の第１ネットワークを介したデータ通信サービスの提供を受ける移動機と、前記第１ネットワークを介した通信が阻害される所定の空間内に形成されたローカルエリアネットワーク等の第２ネットワークにて前記移動機に各種のデータを提供する通信サーバと、を備え、前記通信サーバは、前記所定の空間に持ち込まれた前記移動機から、前記第１ネットワークにて当該移動機を一意に識別するための第１識別情報を取得する第１識別情報取得手段と、前記取得された前記第１識別情報に基づいて、少なくとも前記第２ネットワークにて当該移動機を一意に識別するための第２識別情報を設定する第２識別情報設定手段と、前記移動機に配信すべき第１データを前記第１識別情報と前記第２識別情報の少なくとも何れか一方に基づいて外部から取得する第１データ取得手段と、前記取得された第１データを前記第２識別情報により示される移動機に、前記第２ネットワークを介して配信する配信手段とを具備することを特徴とする移動通信システムを提供する。
【０００８】
この構成により、ローカルエリアネットワーク等の第２ネットワークの構成された所定の空間に進入した移動機から第１識別情報が取得され、当該第１識別情報に基づいて第２識別情報が設定される。そして、この第１識別情報と第２識別情報の少なくとも何れか一方に基づいて外部から第１データが取得されて、当該第２識別情報により示される移動機に対して当該第１データが配信される。
【０００９】
このため、公共施設等の施設内においては周囲の環境に影響を与える可能性のある移動通信網等の第１ネットワークを介した通信を制限しつつ、ローカルエリアネットワーク等の第２ネットワークを介してリアルタイムに各種のデータを移動機に配信することが可能となる。
【００１０】
また、上記請求項１に記載の構成において、前記通信サーバは、前記取得された第１識別情報と前記設定された第２識別情報を対応付けて記録する識別情報記録手段を更に有し、前記第１識別情報が少なくとも前記第１データの宛先として、例えば、メールアドレスを示す情報を含む場合に、前記通信サーバの前記第１データ取得手段は、前記第１識別情報により表される宛先に基づいて前記第１データとして、例えば、電子メールを取得し、前記通信サーバの前記配信手段は、当該第１識別情報と対応付けて記録された前記第２識別情報により示される移動機に、当該取得された第１データとして、例えば、電子メールを配信する構成を採用しても良い。
【００１１】
この構成によれば、移動通信網等の広域な第１ネットワークにおいて設定されたアドレス宛の電子メール等のデータが第１データとして通信サーバに取得され、第２ネットワークを介して前記移動機へと配信される。このため、第２ネットワークを介して通信を行う場合であっても、移動機は、移動通信網等の第１ネットワークにおいて設定されているメールアドレス宛の電子メールを受信することが可能となる。
【００１２】
また更に、上記請求項１に記載の構成において、前記通信サーバの前記第２識別情報設定手段は、前記第１及び第２ネットワークとは異なるインターネット等の第３ネットワークにて前記移動機を一意に識別するためのＩＰアドレス等を含む前記第２識別情報を設定し、前記通信サーバの第１データ取得手段は、前記第２識別情報に基づいて前記外部としての他の装置から前記第３ネットワークを介して前記第１データを取得するようにしても良い。
【００１３】
この構成を採用することにより、第３ネットワークにて移動機を一意に識別するためのアドレスを含む第２識別情報が設定され、当該第２識別情報に基づいてインターネット等の第３ネットワーク内に存在する他の装置から第１データが通信サーバによって取得される。そして、この第１データが、第２ネットワークを介して移動機に配信されるのである。
【００１４】
このため、移動通信網等の第１ネットワークを介した通信が制限される環境においても、第２ネットワークを介してインターネット等の第３ネットワーク内に存在するデータを取得することが可能となる。
【００１５】
更に、請求項３に記載の構成において、前記第３ネットワークを介して通信を行うサーバであって、前記第３ネットワークにおいて予め定められた、例えば、メールアドレスと前記第２識別情報とを対応付けて記録した第２サーバを更に備え、前記第２サーバは、前記アドレスに基づいて前記第３ネットワークから前記第１データを受信する第１データ受信手段と、前記受信した第１データを記録する第１データ記録手段と、前記移動機からの要求に応じて、前記記録した第１データを第２識別情報に基づいて前記第３ネットワークに送信する送信手段と、を有し、前記通信サーバの第１データ取得手段は、前記第２識別情報に基づいて前記外部としての前記第２サーバから前記第３ネットワークを介して前記第１データを取得するようにすることも可能である。
【００１６】
かかる構成を採用することにより、予め設定されたメールアドレス宛の第１データとして、例えば、電子メールが第３ネットワーク内の第２サーバに受信され、記録される。そして、移動機からの要求に応じて、この電子メールが第２識別情報に基づいて第３ネットワークへと送信され、通信サーバによって取得される。
【００１７】
このため、インターネット上のメールボックスサービス等により予め設定されたメールアドレス宛に送信された電子メールが、第２ネットワークを介して移動機に配信されることとなり、転送等の処理を行うことなく第２ネットワークを介した電子メールの送受信が可能となる。なお、この場合における第２サーバは、通信サーバを兼用することも可能である。
【００１８】
更にまた、請求項１に記載の構成において、前記通信サーバは、前記取得された第１データに対して、当該第１データによって表される内容とは異なる第２の内容を示す第２データを付加する第２データ付加手段を更に有し、前記通信サーバの前記配信手段は、前記第２データの付加された前記第１データを前記移動機に配信する構成としても良い。
【００１９】
この構成により、第１データ取得手段によって取得された第１データに第２データが付加されて前記移動機に配信されるため、移動機に配信すべきデータに対し通信サーバにおいて各種のデータを付加することが可能となる。
【００２０】
この第２データは、特定の対象に対してのみ配信すべき内容を含むものであっても良いし、不特定多数の者に対して配信すべき内容を含むものであっても良い。
【００２１】
例えば、この第２データとして広告内容を示すデータを利用した場合、移動機に配信すべき第１データに広告内容を付加することが可能となるため、サービス態様の多様化を図ることも可能となる。
【００２２】
また、請求項１に記載の構成において、前記通信サーバの前記第２データ付加手段は、前記第２データを指定する指定情報として、例えば、当該第２データを指定するタグを前記第１データに記述することにより、前記第１データに前記第２データを付加するようにすることもできる。かかる構成を採用した場合、ＨＴＭＬ（Hypertext Markup Language）形式のデータやＭＩＭＥ（MultiPurpose Internet Mail Extensions）形式で記述されたデータ等、タグにより他のデータを指定することのできる形式により第１データが記述されていれば、簡易に第２データを付加することが可能となり、既存の技術を利用しつつ第１データに第２データを付加することが可能となる。
【００２３】
また更に、上記構成において前記第１ネットワークは、少なくとも移動通信網を含むネットワークとすることもできる。同構成によれば、移動通信網を介して通信を行う移動機に対しても上記と同様の処理を実行することが可能となる。
【００２４】
更に、請求項９に記載の発明は、移動通信網等の第１ネットワークを介したデータ通信サービスの提供を受ける移動機に対して、前記第１ネットワークを介した通信が阻害される所定の空間内に形成されたローカルなネットワークである第２ネットワークにて各種のデータを提供する通信サーバであって、前記所定の空間に進入した前記移動機から、前記第１ネットワークにて当該移動機を一意に識別するための第１識別情報を取得する第１識別情報取得手段と、前記取得された前記第１識別情報に基づいて、少なくとも前記第２ネットワークにて当該移動機を一意に識別するための第２識別情報を設定する第２識別情報設定手段と、前記移動機に配信すべき第１データを前記第１識別情報と前記第２識別情報の少なくとも何れか一方に基づいて外部から取得する第１データ取得手段と、前記取得された第１データを前記第２識別情報により示される移動機に、前記第２ネットワークを介して配信する配信手段とを具備することを特徴とする通信サーバを提供する。
【００２５】
この構成により、ローカルエリアネットワーク等の第２ネットワークの構成された所定の空間に進入した移動機から第１識別情報が取得され、当該第１識別情報に基づいて第２識別情報が設定される。そして、この第１識別情報と第２識別情報の少なくとも何れか一方に基づいて外部から第１データが取得されて、当該第２識別情報により示される移動機に対して当該第１データが配信される。
【００２６】
このため、公共施設等の施設内においては周囲の環境に影響を与える可能性のある移動通信網等の第１ネットワークを介した通信を制限しつつ、ローカルエリアネットワーク等の第２ネットワークを介してリアルタイムに各種のデータを移動機に配信することが可能となる。
【００２７】
更にまた、請求項１０に記載の発明は、第１ネットワークを介したデータ通信サービスの提供を受ける移動機と、前記第１ネットワークを介した通信が阻害される所定の空間内に形成された第２ネットワークにて前記移動機に各種のデータを提供する通信サーバと、を備えた移動通信システムにおけるデータ配信方法であって、前記通信サーバが、前記所定の空間に進入した前記移動機から、前記第１ネットワークにて当該移動機を一意に識別するための第１識別情報を取得する第１ステップと、前記通信サーバが、前記取得された前記第１識別情報に基づいて、少なくとも前記第２ネットワークにて当該移動機を一意に識別するための第２識別情報を設定する第２ステップと、前記通信サーバが、前記移動機に配信すべき第１データを前記第１識別情報と前記第２識別情報の少なくとも何れか一方に基づいて外部から取得する第３ステップと、前記通信サーバが、前記取得された第１データを当該第２識別情報により示される移動機に、前記第２ネットワークを介して配信する第４ステップとを具備することを特徴とするデータ配信方法を提供する。
【００２８】
この構成により、ローカルエリアネットワーク等の第２ネットワークの構成された所定の空間に進入した移動機から第１識別情報が取得され、当該第１識別情報に基づいて第２識別情報が設定される。そして、この第１識別情報と第２識別情報の少なくとも何れか一方に基づいて外部から第１データが取得されて、当該第２識別情報により示される移動機に対して当該第１データが配信される。
【００２９】
このため、公共施設等の施設内においては周囲の環境に影響を与える可能性のある移動通信網等の第１ネットワークを介した通信を制限しつつ、ローカルエリアネットワーク等の第２ネットワークを介してリアルタイムに各種のデータを移動機に配信することが可能となる。
【００３０】
また、請求項１１に記載の発明は、第１ネットワークを介したデータ通信サービスの提供を受ける移動機に対して、前記第１ネットワークを介した通信が阻害される所定の空間内に形成された第２ネットワークにて、コンピュータにより各種のデータを提供するためのサーバプログラムであって、前記コンピュータを、前記所定の空間に進入した前記移動機から、前記第１ネットワークにて当該移動機を一意に識別するための第１識別情報を取得する第１識別情報取得手段、前記取得された前記第１識別情報に基づいて、少なくとも前記第２ネットワークにて当該移動機を一意に識別するための第２識別情報を設定する第２識別情報設定手段、前記移動機に配信すべき第１データを前記第１識別情報と前記第２識別情報の少なくとも何れか一方に基づいて外部から取得する第１データ取得手段、前記取得された第１データを当該第２識別情報により示される移動機に、前記第２ネットワークを介して配信する配信手段として機能させることを特徴とするサーバプログラムを提供する。
【００３１】
また、このサーバプログラムをコンピュータに読みとり可能な情報記録媒体に記録するようにすることも可能である。
【発明の効果】
【００３２】
以上のように、本願請求項１に記載の移動通信システムによれば、公共施設等の施設内においては周囲の環境に影響を与える可能性のある移動通信網等の第１ネットワークを介した通信を制限しつつ、ローカルエリアネットワーク等の第２ネットワークを介してリアルタイムに各種のデータを移動機に配信することが可能となる。
【発明を実施するための最良の形態】
【００３３】
以下、図面を参照し、本願の実施の形態について説明する。なお、係る実施形態は、本願を限定するものではなく、本願の技術思想の範囲内において任意に変更可能である。
【００３４】
［１］実施形態
［１．１］実施形態の構成
（１）システムの全体構成 
まず、本実施形態にかかる移動通信システムＳの構成を示すブロック図である図１を用いつつ、本願の実施形態にかかる移動通信システムＳの全体構成について説明する。
【００３５】
同図に示すように本実施形態にかかる複数の移動機ＭＳａ、ＭＳｂ…（以下、特に特定する必要のない場合、「移動機ＭＳ」という）と、インターネットＩＮＥＴと、移動パケット通信網ＭＰＮと、施設Ｉと、を有する。なお、図１においては、複数の移動機ＭＳａ、ＭＳｂ…のうち所定の移動機のみが図示されている。
【００３６】
移動機ＭＳは、携帯電話機や簡易携帯電話機、ＰＤＡ（Personal Digital Assistants）等の携帯型の通信端末であり、図示せぬ移動電話網を介して音声通話を行うと共に、移動パケット通信網ＭＰＮを介してデータ通信を行う。この機能により、移動機ＭＳは、インターネットＩＮＥＴ内の各種リソースに対応するデータを取得して表示すると共に、電子メールの送受信を行う。また、この移動機ＭＳには、移動パケット通信網ＭＰＮ内においてサービスの提供対象となる移動機ＭＳを一意に特定するための加入者ＩＤが記録されており、この加入者ＩＤは、上記データ通信等を行う際に、移動パケット通信網ＭＰＮや図示せぬ移動電話網へと送信される。
【００３７】
移動パケット通信網ＭＰＮは、移動機ＭＳに対してパケット通信サービスを提供するための通信網であり、ゲートウェイサーバＧＷＳや複数の基地局ＢＳを有する。
【００３８】
ゲートウェイサーバＧＷＳは、インターネットＩＮＥＴと、移動パケット通信網ＭＰＮとを相互接続する移動パケット関門中継交換局に設けられたコンピュータシステムである。このゲートウェイサーバＧＷＳは、受信データのプロトコルを、当該データの転送先となるネットワークの従うプロトコルに変換して転送する。
【００３９】
また、ゲートウェイサーバＧＷＳは、移動パケット通信網ＭＰＮにおいて各移動機ＭＳに割り振られている移動網メールアドレスと加入者ＩＤを対応付けて記録しており、自網の収容している移動機ＭＳ宛の電子メールを受信して、当該移動機ＭＳ宛に配信する、所謂メールサーバ機能を有している。更に、本実施形態において、このゲートウェイサーバＧＷＳは、後述する施設内サーバＩＳからの要求に応じて、移動網メールアドレス宛の電子メールを、後述するローカルメールアドレスに転送する機能を有している。なお、ローカルメールアドレス宛に転送された電子メールをゲートウェイサーバＧＷＳにおいて削除するか否かは、任意である。例えば、転送後も当該電子メールをゲートウェイサーバＧＷＳに残しておく構成とすれば、施設Ｉ内において転送を受けた電子メールを移動パケット通信網ＭＰＮを介して再度受信することも可能となる。
【００４０】
施設Ｉは、公共交通機関等の施設であり、当該施設Ｉの内部に上述した遮蔽空間を構成している。このため、施設Ｉ内に移動機ＭＳが持ち込まれると、当該移動機ＭＳは移動パケット通信網ＭＰＮを介した通信が不能な状態となる。なお、かかる遮蔽空間の構成方法は、任意である。例えば、施設Ｉの壁面部、天井部等の各部にＮｉ、Ｃｕ、Ａｌ等の導電物質の被覆されたフィルムを貼付することにより、外部からの電磁波の進入を防いでも良いし、これらの部位を導電物質の被覆された材料を用いて構成するにより、外部からの電磁波の進入を防いでも良い。
【００４１】
また、この施設Ｉの入り口には、ゲートＧが設置されている。このゲートＧは、ＩＥＥＥ（the Institute of Electrical and Electronic Engineers）８０２．１１やブルートゥース（登録商標  登録番号第４６２３５７３号／ＩＥＥＥ８０２．１５）等の無線インターフェイス（以下、「インターフェイス」を「Ｉ／Ｆ」と略称する）を有しており、施設Ｉ内に設置されている施設内サーバＩＳの制御の下、当該ゲートＧを通過した移動機ＭＳと通信を行う機能を有する。かかる機能を利用することにより、本実施形態にかかるゲートＧは、当該ゲートＧを通過した移動機ＭＳから加入者ＩＤを読み出し、この読み出した加入者ＩＤを施設内サーバＩＳに送信する。この結果、施設Ｉに持ち込まれた移動機ＭＳ及び施設Ｉから持ち出された移動機ＭＳに対応する加入者ＩＤが施設内サーバＩＳに送信されることとなる。なお、施設Ｉが公共交通機関である場合、ゲートＧは、駅の改札や車体への乗り込み口に設けるようにすれば良い。
【００４２】
また、この施設Ｉ内には、中継装置Ｒが設置されており、上記施設内サーバＩＳと連携することにより、施設Ｉ内に持ち込まれた移動機ＭＳをクライアントとするローカルエリアネットワーク（ＬＡＮ）若しくはパーソナルエリアネットワーク（以下、これらを「施設内ＬＡＮ」と総称する。）を構成する。
【００４３】
この中継装置Ｒは、施設Ｉ内に設置された無線或いは有線のルータであり、施設内サーバＩＳから送信されてきたデータを施設Ｉ内に存在する移動機ＭＳに転送すると共に、移動機ＭＳから送信されてきたデータを施設内サーバＩＳに転送する。なお、移動機ＭＳと中継装置Ｒとの間において如何なる方式で、データ通信を行うかは任意である。例えば、移動機ＭＳと中継装置Ｒの双方にＩＥＥＥ８０２．１１やブルートゥース、ＩＥＥＥ８０２．３等の通信Ｉ／Ｆを設け、有線或いは無線区間を介して移動機ＭＳとデータ通信を行うようにしても良い。
【００４４】
また、施設内サーバＩＳと中継装置Ｒとの間における通信方法についても任意である。例えば、施設Ｉが病院のような施設の場合、両装置間の通信は有線により行えば良い。これに対して施設Ｉが交通機関のように移動するものである場合、両装置間の通信を有線により行うことはできない。従って、この場合、両装置間における通信は、無線方式を採用することが必要となる。
【００４５】
一方、施設内サーバＩＳは、施設Ｉに設置されているサーバであり、移動機ＭＳが施設Ｉ内に持ち込まれている間、当該移動機ＭＳに対してデータ通信サービスを提供する。具体的には、施設内サーバＩＳは、施設Ｉ内の移動機ＭＳ宛に送信されてきたデータをインターネットＩＮＥＴから受信し、宛先となる移動機ＭＳに配信すると共に、施設Ｉ内の移動機ＭＳから送信されたデータをインターネットＩＮＥＴへと送信する。かかる機能により施設Ｉ内に持ち込まれた移動機ＭＳは、施設内ＬＡＮを経由してインターネットＩＮＥＴ内のリソースに対応するデータを取得することが可能となる。なお、この施設内サーバＩＳは、「特許請求の範囲」における「通信サーバ」に対応したものである。
【００４６】
また、この施設内サーバＩＳは、メールサーバとしての機能も有しており、施設Ｉ内に持ち込まれた移動機ＭＳに対して電子メールサービスを提供する。ここで、上述のように移動機ＭＳは、移動パケット通信網ＭＰＮを経由した電子メールサービスの提供を受けるものであるため、施設Ｉ内に持ち込まれ通信不能な状態となってしまうと、自機に対応する移動網メールアドレス宛の電子メールを受信することができない状態になってしまう。
【００４７】
そこで、本実施形態において施設内サーバＩＳは、施設Ｉ内に移動機ＭＳが持ち込まれると、当該移動機ＭＳに対して施設内ＬＡＮにおけるローカルなメールアドレス（以下、「ローカルメールアドレス」という）を設定する。そして、施設内サーバＩＳは、ゲートウェイサーバＧＷＳに対して移動網メールアドレス宛の電子メールを当該ローカルメールアドレス宛に転送すべき旨の転送登録を行う。この結果、移動網メールアドレス宛の電子メールがゲートウェイサーバＧＷＳによって施設内サーバＩＳへと転送され、施設内サーバＩＳによって施設内ＬＡＮに収容された移動機ＭＳに配信される。
【００４８】
更に、本実施形態において特徴的な事項として、施設内サーバＩＳは、施設Ｉ内に持ち込まれた移動機ＭＳ宛のデータに対して広告内容を示す広告データを付加する機能を有する。具体的には、施設内サーバＩＳは、施設Ｉ内に持ち込まれた移動機ＭＳがインターネットＩＮＥＴから取得したリソースに対応するデータに対して広告データを付加すると共に、当該移動機ＭＳに配信すべき電子メールに対しても広告データを付加する。
【００４９】
なお、この施設内サーバＩＳの具体的構成については後述する。
【００５０】
（２）移動機ＭＳの具体的構成
次に、図２を参照しつつ本実施形態にかかる移動機ＭＳの具体的構成について説明する。なお、図２は、本実施形態にかかる移動機ＭＳの構成を示すブロック図である。同図に示すように本実施形態にかかる移動機ＭＳは、制御部１１と、送受信部１２と、入力部１３と、表示部１４と、通信Ｉ／Ｆ部１５と、これら各要素間を相互に接続するデータバス１６を有する。
【００５１】
送受信部１２は、移動パケット通信網ＭＰＮの基地局ＢＳとの間において無線通信を行い、データバス１６を介して入力されたデータを基地局ＢＳに送信すると共に、基地局ＢＳから送信されてきたデータをデータバス１６に出力する。
【００５２】
入力部１３は、ＰＢ（プッシュボタン）等の各種ボタン及びカーソルキーからなり、ユーザによって入力操作が行われると、その入力操作に対応した操作データを制御部１１に供給する。
【００５３】
表示部１４は、液晶パネル等の表示装置から構成されており、制御部１１の制御の下、各種情報を表示する。
【００５４】
制御部１１は、例えば、ＣＰＵ（Central Processing Unit）１１１と、ＲＯＭ（Read Only Memory）１１２と、ＲＡＭ（Random Access Memory）１１３と、不揮発性メモリ１１４を有しており、移動機ＭＳの各部を制御する。ＲＯＭ１１２には、各種制御情報や制御プログラムと共に、上述した加入者ＩＤや各種アプリケーションプログラムが格納されている。
【００５５】
ここで、ＲＯＭ１１２に記憶されているアプリケーションプログラムには、ＷＷＷ（World Wide Web）ブラウザが存在し、このＷＷＷブラウザを実行することによりＣＰＵ１１１は、以下の２つの機能を実現する。
【００５６】
ａ．ブラウジング機能
この機能は、ＨＴＴＰ（Hyper Text Transfer Protocol）のＧＥＴ要求を送信し、当該要求に対して返信されてきたＨＴＭＬデータに対応する画像を表示部１４に表示させるための機能である。かかる機能を利用することにより、移動機ＭＳのユーザは、インターネットＩＮＥＴから取得したＨＴＭＬデータを解釈して得られる画像を視認することが可能となる。
【００５７】
ｂ．メーラ機能
この機能は、電子メールの作成や送受信を行うための機能である。本実施形態において、ＣＰＵ１１１は、このメーラ機能を利用することにより、電子メールを生成し、当該電子メールの送信処理を実行する。また、移動機ＭＳは、自機宛の電子メールが移動パケット通信網ＭＰＮ、或いは、施設内ＬＡＮを介して送信されてくると、当該電子メールを処理し、表示部１４に表示させる。
【００５８】
不揮発性メモリ１１４には、移動機ＭＳの移動網メールアドレスが格納される他、受信した電子メールが格納され、ＲＡＭ１１３は、ＣＰＵ１１１のワークエリアとして用いられる。
【００５９】
通信Ｉ／Ｆ部１５は、ＩＥＥＥ８０２．１１やブルートゥース等の通信Ｉ／Ｆであり、受信したデータをデータバス１６に出力すると共に、データバス１６を介して入力されたデータを通信対象となる機器に送信する。本実施形態において移動機ＭＳは、この通信Ｉ／Ｆ部１５を利用することにより、施設Ｉに設置されているゲートＧ及び中継装置Ｒとデータ通信を行う。
【００６０】
（３）施設内サーバＩＳの具体的構成
次に、図３を参照しつつ本実施形態にかかる施設内サーバＩＳの具体的構成について説明する。なお、図３は本実施形態にかかる施設内サーバＩＳの構成を示すブロック図である。同図に示すように本実施形態にかかる施設内サーバＩＳは、ネットワークＩ／Ｆ部２１と、通信Ｉ／Ｆ部２２と、システム制御部２３と、広告データＤＢ２４と、テーブル記録部２５と、これらを相互に接続するデータバス２６と、を有している。
【００６１】
なお、この通信Ｉ／Ｆ部２２は「特許請求の範囲」における「第１識別情報取得手段」を、システム制御部２３は、「第２識別情報設定手段」、「第１データ取得手段」、「第２データ付加手段」を構成する。また、本実施形態における通信Ｉ／Ｆ部２２は、上記中継装置Ｒと連携することにより、「特許請求の範囲」における「配信手段」を構成する。更に、テーブル記録部２５は、「識別情報記録手段」を構成し、ネットワークＩ／Ｆ部２１は、「第１データ受信手段」を構成する。
【００６２】
ネットワークＩ／Ｆ部２１は、インターネットＩＮＥＴとデータバス２６との間のデータの授受を仲介する。具体的には、このネットワークＩ／Ｆ部２１は、インターネットＩＮＥＴを介して送信されてきたデータを受信しデータバス２６に出力すると共に、データバス２６を介して入力されたデータをインターネットＩＮＥＴに送信する。
【００６３】
通信Ｉ／Ｆ部２２は、ゲートＧ及び中継装置Ｒとシステム制御部２３とのデータの授受を仲介し、ゲートＧ及び中継装置Ｒから送信されてきたデータをデータバス２６に出力すると共に、データバス２６を介して入力されたデータをゲートＧ及び中継装置Ｒに出力する。
【００６４】
システム制御部２３は、例えば、ＣＰＵ、ＲＯＭ、ＲＡＭ、ハードディスクを有し、施設内サーバＩＳの各部を制御する。ここで、本実施形態にかかる施設内サーバＩＳは、上述のように
（ａ）施設Ｉ内に持ち込まれた移動機ＭＳがインターネットＩＮＥＴ上のリソースに対応するデータを取得する際のデータの授受を中継する機能
（ｂ）施設Ｉ内に持ち込まれた移動機ＭＳに対するメールサーバ機能
、という２つの機能を有している。
【００６５】
かかる機能を実現するため、本実施形態においてテーブル記録部２５には、図４に示す移動機管理テーブルＴＢＬ１が格納されている。なお、図４は、本実施形態にかかる移動機管理テーブルＴＢＬ１の記録内容の一例を示した図である。
【００６６】
同図に示すように、本実施形態において移動機管理テーブルＴＢＬ１には、加入者ＩＤを格納するためのフィールドと対応付けて、当該加入者ＩＤに対応する移動機ＭＳに対して付与されたＩＰアドレスを格納するためのフィールドと、当該移動機ＭＳに割り当てられたＭＡＣアドレスを格納するためのフィールドと、上述したローカルメールアドレスを格納するためのフィールドが設けられている。なお、これらの加入者ＩＤ及びアドレスは、夫々、「特許請求の範囲」における「第１識別情報」及び「第２識別情報」を構成する。
【００６７】
移動機ＭＳが施設Ｉに持ち込まれ、当該移動機ＭＳに対応する加入者ＩＤがゲートＧによって読み出されて送信されてくると、システム制御部２３は、このゲートＧから送信されてきた加入者ＩＤを移動機管理テーブルＴＢＬ１に格納する。そして、システム制御部２３は、この加入者ＩＤに対応する移動機ＭＳに対して施設内ＬＡＮにおけるＭＡＣ（Media Access Control）アドレスを設定すると共に、当該移動機ＭＳのインターネットＩＮＥＴにおけるＩＰアドレスを取得する。そして、これらＭＡＣアドレスとＩＰ（Internet Protocol）アドレスを当該移動機ＭＳに対応する加入者ＩＤと対応付けられているフィールドに格納する。
【００６８】
なお、移動機ＭＳのＩＰアドレスの取得方法は、任意である。例えば、インターネットＩＮＥＴ上のＤＮＳ（Domain Name System）サーバからＩＰアドレスを取得するようにしても良いし、施設内サーバＩＳにＤＮＳサーバプログラムを搭載して、施設内サーバＩＳにおいて移動機ＭＳのＩＰアドレスを取得するようにしても良い。
【００６９】
また、この際、システム制御部２３は、当該移動機ＭＳに割り当てた、ＭＡＣアドレスをメールアカウントとするローカルメールアドレスを当該移動機ＭＳに割り当てて、当該移動機ＭＳに対応する加入者ＩＤと対応するフィールドに格納する。そして、システム制御部２３は、この割り当てたローカルメールアドレスを当該移動機ＭＳの加入者ＩＤと対応付けてゲートウェイサーバＧＷＳに送信する。
【００７０】
この結果、ゲートウェイサーバＧＷＳにおいては、当該加入者ＩＤと、当該加入者ＩＤに対応する移動機ＭＳの移動網メールアドレスと、施設内サーバＩＳから送信されてきたローカルメールアドレスとが対応付けて登録され、その後に当該移動機ＭＳに対応する移動網メールアドレス宛に送信されてきた電子メールがローカルメールアドレス宛に転送される状態となる。このようにして、ゲートウェイサーバＧＷＳによって転送された電子メールが施設内サーバＩＳによって受信され、中継装置Ｒを介して施設Ｉ内に持ち込まれている移動機ＭＳに配信される。
【００７１】
また、上述のようにように本実施形態において施設内サーバＩＳは、施設Ｉ内に持ち込まれた移動機ＭＳに送信すべきデータに対して広告データを付加する機能を有する。かかる機能を実現するため、本実施形態において広告データＤＢ２４には、各種の広告データが格納されており、システム制御部２３は、この広告データＤＢ２４に格納されている広告データから所定の広告データを選択し、移動機ＭＳに対して送信すべきデータに当該広告データを付加して送信する。
【００７２】
なお、広告データの選択方法は、任意である。例えば、以下のような方法を採用することが可能である。
【００７３】
（ａ）方法ａ
この方法ａは、例えば、２００４年１月１日午前７時から午前９時まで等、広告データＤＢ２４に格納されている広告データ毎に移動機ＭＳに配信する期間を予め定めておく方法である。この方法ａを採用する場合、広告データＤＢ２４には各広告データと対応付けて当該広告データを配信すべき期間を示すデータを格納しておき、システム制御部２３は、当該日時において移動機ＭＳに当該広告データを配信するようにすれば良い。
【００７４】
（ｂ）方法ｂ
この方法ｂは、移動機ＭＳの現在位置に応じて移動機ＭＳに配信する広告データを変更する方法である。この方法ｂは、特に、施設Ｉが交通機関の場合に有効な方法となる。この方法ｂは、以下のような構成を採用することにより実現可能となる。すなわち、広告データＤＢ２４に、各広告データと対応付けて当該広告データの配信地域をあらわす情報として、例えば、緯度及び経度を示す情報を格納しておく。そして、システム制御部２３は、移動機ＭＳの現在位置と当該緯度及び経度を示す情報の双方に基づいて移動機ＭＳに配信すべき広告データを決定するのである。なお、移動機ＭＳの現在位置を如何にして施設内サーバＩＳが把握するかは、任意である。例えば、移動機ＭＳが通信を行っている基地局ＢＳの設置位置を移動パケット網ＭＰＮから取得し、当該設置位置を移動機ＭＳの現在位置として利用するようにしても良い。また、移動パケット通信網ＭＰＮにおいて、いわゆる三角法により移動機ＭＳの現在位置を取得し、当該現在位置を施設内サーバＩＳが移動パケット通信網ＭＰＮから取得するようにしても良い。
【００７５】
（ｃ）方法ｃ
この方法ｃは、施設Ｉが交通機関である場合に、当該交通機関の移動時間（例えば、始発駅から終点までの移動時間）に応じて、移動機ＭＳに配信すべき広告データを変更する方法である。かかる方法を採用する場合、施設内サーバＩＳの広告データＤＢ２４に各広告データと対応付けて移動時間を格納しておく。そして、システム制御部２３は、移動機ＭＳの持ち込まれた交通機関の移動時間と広告データＤＢ２４に格納されている移動時間とを比較し、両移動時間が一致した場合に当該移動時間と対応付けて広告データＤＢ２４に格納されている広告データを配信するのである。
【００７６】
（ｄ）方法ｄ
この方法ｄは、移動機ＭＳのユーザが自己の嗜好性や年齢、性別等の属性情報を事前に施設内サーバＩＳに登録しておき、当該属性情報に合致する広告データを移動機ＭＳに配信する方法である。この方法を採用する場合、施設内サーバＩＳの広告データＤＢ２４は、各広告データと対応付けて、所定のキーワードを格納しておくことが必要となる。また、施設内サーバＩＳのテーブル記録部２５には、上述した移動機管理テーブルＴＢＬ１と共に、ユーザ管理テーブルを設け、当該テーブルに各移動機ＭＳの加入者ＩＤと対応付けて、移動機ＭＳのユーザの属性情報を予め格納しておく。そして、移動機ＭＳが施設Ｉに持ち込まれ移動機ＭＳの加入者ＩＤが取得された時点で当該加入者ＩＤと対応付けてユーザ管理テーブルに格納されている属性情報を読み出し、この属性情報と合致するキーワードと対応付けて格納されている広告データを移動機ＭＳに配信するのである。なお、属性情報をいかなる方法によりユーザ管理テーブルに格納するかは、任意であり、例えば、事前に移動機ＭＳのユーザに対してアンケートを行っておき当該アンケート結果に基づいて属性情報を格納するようにしても良い。
【００７７】
（ｅ）方法ｅ
この方法ｅは、移動機ＭＳのユーザが過去に施設内ＬＡＮを介して閲覧したホームページやｗｅｂページの履歴に基づいて、移動機ＭＳに配信すべき広告データを決定する方法である。この方法を採用する場合、施設内サーバＩＳの広告データＤＢ２４には、各広告データと対応付けて予め定められたキーワードを格納することが必要となる。また、テーブル記録部２５には、上記移動機管理テーブルＴＢＬ１と共に、履歴管理テーブルを設ける。そして、この履歴管理テーブルに施設Ｉ内に持ち込まれた各移動機ＭＳの加入者ＩＤと、当該移動機ＭＳから送信されたＧＥＴ要求に含まれるＵＲＬを対応付けて格納することにより、各移動機ＭＳのユーザの履歴を管理する。一方、移動機ＭＳに広告データを配信する場合、システム制御部２３は、この履歴管理テーブルに格納されているＵＲＬに対応する各ページのＨＴＭＬデータを取得し、当該ＨＴＭＬデータの要素を分析する。具体的には、システム制御部２３は、当該ページに対応するＨＴＭＬデータ中のテキストやイメージからキーワードを抽出し、当該キーワードと一致するキーワードと対応付けて広告データＤＢ２４に格納されている広告データを検索する。そして、システム制御部２３は、この検索の結果、ヒットした広告データを移動機ＭＳに配信するのである。
【００７８】
以上のように、本実施形態においては配信対象となる広告データの決定方法が任意である他、広告データＤＢ２４に格納する広告データのデータ形式についても任意である。例えば、広告データをＧＩＦ（Graphics Interchange Format）形式で作成したり、Ｊａｖａ（登録商標）言語により記述するようにしても良い。ただし、移動機ＭＳに搭載されているブラウザの機能によって、処理することのできるデータ形式が異なるため、移動機ＭＳに搭載されているブラウザにより処理可能な形式で、広告データを作成しておくことが必要となる。
【００７９】
更に、移動機ＭＳに配信するデータに対する広告データの付加方法についても任意である。例えば、広告データがＧＩＦ形式で作成されている場合、移動機ＭＳに送信すべきデータがＨＴＭＬ形式のデータであれば、イメージタグにより付加すべき広告データを指定するようにすれば良い。また、移動機ＭＳに配信すべきデータが電子メールの場合であって、ＭＩＭＥ形式で記述されている場合、「Content-Type: image/○○gif;」と電子メールに追記することにより、移動機ＭＳにおいて広告データを表示させることが可能となる。
【００８０】
［１．２］第１実施形態の動作
（１）システム全体の動作
次に、図５及び図６を参照しつつ、本実施形態にかかる移動通信システムＳの動作について説明する。なお、図５及び図６は、本実施形態にかかる移動通信システムＳにおける処理を示すシーケンス図である。
【００８１】
まず、ユーザが施設Ｉ外において移動機ＭＳを保持している状態の場合、移動機ＭＳは、移動パケット通信網ＭＰＮを介して通信を行う。この場合、移動機ＭＳは、従来の移動機ＭＳと同様の動作を行う。
【００８２】
その後、ユーザが施設Ｉ内に移動機ＭＳを持ち込む。すると、ゲートＧにおいて移動機ＭＳの通過が検出される（ステップＳ１）。なお、この際、ゲートＧが如何にして移動機ＭＳの通過を検出するかは、ゲートＧの有する通信Ｉ／Ｆの種類によって異なる。例えば、ゲートＧがブルートゥースを搭載している場合、ゲートＧによって形成されたピコネット内に移動機ＭＳが持ち込まれた時点でゲートＧを管理する施設内サーバＩＳをマスタ、当該移動機ＭＳをスレーブとする関係が形成され、当該移動機ＭＳの通過を検出することが可能となる。
【００８３】
また、この際、移動機ＭＳがゲートＧと通信を行うためのアプリケーションを移動機ＭＳの制御部１１において実行させておくことが必要となるが、当該アプリケーションを常駐させておくか、ユーザの支持に従って当該アプリケーションが実行されるようにするかは任意である。
【００８４】
このようにして、移動機ＭＳの通過が検出されると、ゲートＧは、当該移動機ＭＳに対してデータＤ１を送信する（ステップＳ２）。かかるデータＤ１が移動機ＭＳの通信Ｉ／Ｆ部１５によって受信されると、移動機ＭＳの制御部１１においては、ＣＰＵ１１１がＲＯＭ１１２に記録されている加入者ＩＤを読み出して、データＤ２としてゲートＧに送信する（ステップＳ３）。そして、このデータＤ２がゲートＧによりデータＤ３として施設内サーバＩＳに転送される（ステップＳ４）。
【００８５】
一方、施設内サーバＩＳにおいては、通信Ｉ／Ｆ部２２により受信されたデータＤ３に含まれている加入者ＩＤに基づいて、システム制御部２３が移動機管理テーブルＴＢＬ１を更新する（ステップＳ５）。この結果、当該移動機ＭＳに対してＭＡＣアドレスと、ＩＰアドレスと、ローカルメールアドレスが設定されることとなる。なお、この際、施設内サーバＩＳのシステム制御部２３において実行される処理については、後述する。
【００８６】
次いで、施設内サーバＩＳのシステム制御部２３は、当該移動機ＭＳの加入者ＩＤと、当該移動機ＭＳに割り振ったローカルメールアドレスとを付加した電子メールの転送要求Ｄ４をインターネットＩＮＥＴを介してゲートウェイサーバＧＷＳに送信する（ステップＳ６）。ゲートウェイサーバＧＷＳは、この転送要求が送信されてくると、当該転送要求Ｄ４に付加されている加入者ＩＤとローカルメールアドレスを移動網メールアドレスと対応付けて登録することにより、電子メールの転送登録を行う（ステップＳ７）。
【００８７】
かかる転送登録が完了すると、ゲートウェイサーバＧＷＳは、当該転送登録が完了した旨を示す完了通知Ｄ５をインターネットＩＮＥＴを介して施設内サーバＩＳに対して送信する（ステップＳ８）。このようにして送信された完了通知Ｄ５がネットワークＩ／Ｆ部２１によって受信されると、施設内サーバＩＳのシステム制御部２３は、設定したＭＡＣアドレスとローカルメールアドレスとをデータＤ６として送信し（ステップＳ９）、当該データＤ６がゲートＧによりデータＤ７として移動機ＭＳに転送されて（ステップＳ１０）、移動機ＭＳの通信Ｉ／Ｆ部１５によって受信される。
【００８８】
この結果、当該データＤ７に付加されているＭＡＣアドレス等が移動機ＭＳの不揮発性メモリ１１４に記録され、施設内サーバＩＳを介したデータ通信と電子メールの授受が可能となる。
【００８９】
その後、ユーザが、施設Ｉ内において、例えば、インターネットＩＮＥＴ上のＵＲＬを指定してブラウジングを行う旨の入力操作を移動機ＭＳの入力部１３に行う。すると、移動機ＭＳの制御部１１は、ＲＯＭ１１２に格納されているブラウザに従って処理を実行し、当該ＵＲＬを含むＧＥＴ要求Ｄ８を通信Ｉ／Ｆ部１５を介して中継装置Ｒに送信する（ステップＳ１１）。
【００９０】
かかるＧＥＴ要求Ｄ８は、中継装置ＲによってＧＥＴ要求Ｄ９として施設内サーバＩＳへと転送され（ステップＳ１２）、施設内サーバＩＳのシステム制御部２３によってＧＥＴ要求Ｄ１０としてインターネットＩＮＥＴに送出される（ステップＳ１３）。このようにして、施設内サーバＩＳによって送出されたＧＥＴ要求Ｄ１０に対し、インターネットＩＮＥＴから当該ＧＥＴ要求Ｄ１０に含まれたＵＲＬに対応するデータＤ１１が返信されてくると、施設内サーバＩＳは、当該データＤ１１の宛先となっているＩＰアドレスに基づいて、データＤ１１を受信する（ステップＳ１４）。
【００９１】
そして、施設内サーバＩＳのシステム制御部２３は、このデータＤ１１に対して広告データを付加する（ステップＳ１５）。この際、システム制御部２３は、当該データＤ１１に付加すべき広告データを広告データＤＢ２４から読み出して、その読み出した広告データをデータＤ１１に付加する。なお、この際の広告データの選択方法は、上述のように任意である。また、付加方法としては、例えば、データＤ１１がＨＴＭＬ形式により記述されていれば、当該データＤ１１に付加する広告データを指定するイメージタグを追記するようにすれば良い。
【００９２】
このようにして、広告データがデータＤ１１に付加されると、施設内サーバＩＳのシステム制御部２３は、当該データＤ１１の宛先となっているＩＰアドレスと対応付けて移動機管理テーブルＴＢＬ１に格納されているＭＡＣアドレスを読み出す。そして、システム制御部２３は、データＤ１１に広告データを付加したデータＤ１２を当該ＭＡＣアドレス宛に送信する（ステップＳ１６）。
【００９３】
この結果、データＤ１２は、中継装置ＲによってデータＤ１３として移動機ＭＳ宛に転送され、移動機ＭＳの通信Ｉ／Ｆ部１５に受信される（ステップＳ１７）。かかるデータＤ１３が移動機ＭＳの制御部１１によって処理される結果、移動機ＭＳの表示部１４には、インターネットＩＮＥＴから返信されてきたデータＤ１１に対応する画像と共に、施設内サーバＩＳによって付加された広告データに対応する画像が表示される。
【００９４】
次いで、時間が経過し、インターネットＩＮＥＴから当該移動機ＭＳの移動網メールアドレスを宛先とする電子メールＤ１４が送信され、ゲートウェイサーバＧＷＳによって受信される（ステップＳ１８）。すると、ゲートウェイサーバＧＷＳは、当該電子メールの宛先となっている移動網メールアドレスに基づいて電子メールＤ１４の転送処理を実行する（ステップＳ１９）。具体的には、ゲートウェイサーバＧＷＳは、電子メールＤ１４の宛先となっている移動網メールアドレスに対応する加入者ＩＤを読み出し、当該加入者ＩＤと対応付けてローカルメールアドレスが登録されているか否かを判定する。そして、ローカルメールアドレスが登録されている場合には、電子メールＤ１４の宛先を変更し、電子メールＤ１５として転送するのである（ステップＳ２０）。
【００９５】
一方、電子メールＤ１５がゲートウェイサーバＧＷＳから転送されてくると、施設内サーバＩＳのシステム制御部２３は、宛先となっているローカルメールアドレスに従って電子メールＤ１５を受信し、この電子メールＤ１５に対して広告データを付加する（ステップＳ２１）。具体的には、システム制御部２３は、広告データＤＢ２４に格納されている広告データの中から電子メールＤ１５に付加すべき広告データを選択し、当該広告データを広告データＤＢ２４から読み出す。そして、例えば、電子メールＤ１５のヘッダ部に「Content-Type: image/○○gif;」と追記して、当該広告データを付加するのである。
【００９６】
次いで、システム制御部２３は、この広告データが付加された電子メールＤ１５を電子メールＤ１６として中継装置Ｒに送信する（ステップＳ２２）。この際、施設内サーバＩＳのシステム制御部２３は、電子メールＤ１５の宛先となっているローカルメールアドレスと対応付けて移動機管理テーブルＴＢＬ１に格納されているＭＡＣアドレスを読み出し、当該ＭＡＣアドレス宛に電子メールＤ１６を送信する（ステップＳ２２）。
【００９７】
このようにして施設内サーバＩＳから送信された電子メールＤ１６は、中継装置Ｒによって受信されて、電子メールＤ１７として移動機ＭＳ宛に転送される（ステップＳ２３）。この電子メールＤ１７が移動機ＭＳの通信Ｉ／Ｆ部１５によって受信されると、制御部１１は、電子メールＤ１７を不揮発性メモリ１１４に格納すると共に、当該電子メールをブラウザに従って処理する。この結果、移動機ＭＳの表示部１４には、電子メールＤ１７に記述されたメール本文と共に、施設内サーバＩＳによって付加された広告データが表示されることとなる。
【００９８】
一方、ユーザが、移動機ＭＳを保持した状態で、施設Ｉから退出すると、再度、ゲートＧにより、移動機ＭＳの通過が検出される（ステップＳ２４）。すると、ゲートＧは、当該移動機ＭＳに対してデータＤ１８を送信する（ステップＳ２５）。かかるデータＤ１８が移動機ＭＳの通信Ｉ／Ｆ部１５によって受信されると、移動機ＭＳの制御部１１は、ＲＯＭ１１２に記録されている加入者ＩＤを読み出して、データＤ１９としてゲートＧに送信する（ステップＳ２６）。このデータＤ１９は、データＤ２０としてゲートＧから施設内サーバＩＳに転送される（ステップＳ２７）。
【００９９】
一方、施設内サーバＩＳにおいては、システム制御部２３がこのデータ２０に従って移動機管理テーブルＴＢＬ１を更新する（ステップＳ２８）。この際、システム制御部２３は、データ２０に含まれている加入者ＩＤを検索キーとして移動機管理テーブルＴＢＬ１を検索し、当該加入者ＩＤと対応付けられて格納されているローカルメールアドレスを読み出すと共に、当該加入者ＩＤと対応付けて格納されている各種のデータを削除する。なお、この際の動作については、上述のステップＳ５における処理と併せて、後述する。
【０１００】
次いで、システム制御部２３は、電子メールの転送登録を解除する旨の解除要求Ｄ２１をインターネットＩＮＥＴを介してゲートウェイサーバＧＷＳに送信する（ステップＳ２９）。この際、システム制御部２３は、当該加入者ＩＤと、移動機管理テーブルＴＢＬ１から読み出したローカルメールアドレスとを解除要求Ｄ２１に付加する。
【０１０１】
一方、この解除要求Ｄ２１が送信されてくると、ゲートウェイサーバＧＷＳは、この解除要求Ｄ２１に付加されている加入者ＩＤに基づいて、電子メールの転送対象となっている加入者ＩＤを検索する。そして、ゲートウェイサーバＧＷＳは、転送対象として登録されている加入者ＩＤ等の情報を削除するのである（ステップＳ３０）。
【０１０２】
この結果、ゲートウェイサーバＧＷＳは、当該移動機ＭＳの移動網メールアドレス宛の電子メールを受信した場合にも、当該電子メールをローカルメールアドレス宛に転送することなく、移動パケット通信網ＭＰＮを介して、移動機ＭＳに配信する状態となる。このようにして、転送登録が解除されると、ゲートウェイサーバＧＷＳは、インターネットＩＮＥＴに施設内サーバＩＳ宛の登録解除完了通知Ｄ２２を送信する（ステップＳ３１）。
【０１０３】
この登録解除完了通知Ｄ２２が施設内サーバＩＳのネットワークＩ／Ｆ部２１によって受信されると、システム制御部２３は、ゲートＧに対してデータＤ２３を送信し（ステップＳ３２）、このデータＤ２３がゲートＧによってデータＤ２４として移動機ＭＳに送信される（ステップＳ３３）。かかる、データＤ２４を受信すると移動機ＭＳの制御部１１においては、不揮発性メモリ１１４に記録されているＭＡＣアドレス等のデータが削除され、この結果、移動機ＭＳは移動パケット通信網ＭＰＮを介したデータ通信が可能な状態となる。
【０１０４】
（２）移動機管理テーブル更新時の動作
次に、図７を参照しつつ上述した図５のステップＳ５及び図６ステップＳ２８において施設内サーバＩＳの移動機管理テーブルＴＢＬ１を更新する際の動作について説明する。なお、図７は、移動機管理テーブルＴＢＬ１を更新する際に施設内サーバＩＳのシステム制御部２３が実行する処理を示すフローチャートであり、同処理は、上記図５ステップＳ４におけるデータＤ３や図６ステップＳ２７におけるデータＤ２０のようにゲートＧからのデータ受信をトリガとして実行されるものである。
【０１０５】
同図に示すようにこの処理においてシステム制御部２３は、まず、ゲートＧから送信されてきたデータから加入者ＩＤを抽出し（ステップＳａ１）、当該加入者ＩＤに対応する加入者ＩＤが既に移動機管理テーブルＴＢＬ１に格納されているか否かを判定する（ステップＳａ２）。そして、この判定において「ｎｏ」と判定した場合、システム制御部２３は、当該加入者ＩＤを移動機管理テーブルＴＢＬ１に格納する（ステップＳａ３）。例えば、上述した図５ステップＳ４の場合、移動機ＭＳが施設Ｉの外部から施設Ｉ内に持ち込まれている。従って、かかる場合には、移動機管理テーブルＴＢＬ１に当該移動機ＭＳに対応する加入者ＩＤは格納されておらず、ステップＳａ２における判定は、「ｎｏ」となることとなる。
【０１０６】
次いで、システム制御部２３は、当該加入者ＩＤに対応する移動機ＭＳに対して、ＭＡＣアドレスを設定し（ステップＳａ４）、当該移動機ＭＳのＩＰアドレスを取得して（ステップＳａ５）、当該移動機ＭＳのローカルメールアドレスを設定する（ステップＳａ６）。このようにして各種のアドレスが決定するとシステム制御部２３は、これら設定されたアドレスを移動機管理テーブルＴＢＬ１に格納して（ステップＳａ７）、転送要求Ｄ４をゲートウェイサーバＧＷＳに送信する（ステップＳａ８）。そして、システム制御部２３は、完了通知Ｄ５の受信したか否かを判定する状態となり（ステップＳａ９）、完了通知Ｄ５を受信するまで同ステップの処理を繰り返す（「ｎｏ」）。
【０１０７】
一方、ゲートウェイサーバＧＷＳにおける電子メールの転送登録が完了し、ゲートウェイサーバＧＷＳから送信された完了通知Ｄ５がネットワークＩ／Ｆ部２１に受信されると、システム制御部２３は、ステップＳａ９において「ｙｅｓ」と判定し、当該移動機ＭＳに割り振ったＭＡＣアドレスとローカルメールアドレスとをデータＤ６として送信して（ステップＳ９）、処理を終了する。
【０１０８】
これに対して、ステップＳａ２において「ｙｅｓ」と判定した場合、すなわち、移動機ＭＳが施設Ｉ内から外部に持ち出された場合、システム制御部２３は、ステップＳａ１において抽出した加入者ＩＤを検索キーとして移動機管理テーブルＴＢＬ１を検索し、当該加入者ＩＤと対応付けられて格納されているローカルメールアドレスを読み出すと共に、当該加入者ＩＤと対応付けて格納されている各種のデータを削除する（ステップＳａ１１）。そして、システム制御部２３は、電子メールの転送登録を解除する旨の解除要求Ｄ２１をゲートウェイサーバＧＷＳに送信し（ステップＳａ１２）、登録解除完了通知Ｄ２２を受信したか否かを判定する状態となって（ステップＳａ１３）、登録解除完了通知Ｄ２２を受信するまで、同ステップの処理を繰り返す（「ｎｏ」）。
【０１０９】
そして、ゲートウェイサーバＧＷＳから登録解除完了通知Ｄ２２が送信されてくると、システム制御部２３は、ステップＳａ１３において「ｙｅｓ」と判定し、データＤ２３と移動機ＭＳに送信して（ステップＳａ１４）、処理を終了する。
【０１１０】
このようにして、本実施形態における移動通信システムＳによれば、施設Ｉ内に遮蔽空間を形成しつつ、施設Ｉに持ち込まれた移動機ＭＳに対しては施設内ＬＡＮを介して各種のデータが配信されるため、公共施設たる施設Ｉ内においては周囲の環境に影響を与える可能性のある移動パケット通信網ＭＰＮを介した通信を制限しつつ、施設内ＬＡＮを介してリアルタイムに移動機にデータを配信することが可能となる。
【０１１１】
また、本実施形態における移動通信システムＳは、移動パケット通信網ＭＰＮにおける移動網メールアドレス宛の電子メールがゲートウェイサーバＧＷＳによってローカルメールアドレスに転送され、施設内ＬＡＮを介して移動機ＭＳに配信される。このため、施設Ｉ内に移動機ＭＳが持ち込まれている場合であっても、移動網メールアドレス宛の電子メールを受信することが可能となる。
【０１１２】
また更に、本実施形態において施設内サーバＩＳは、移動機ＭＳに配信すべき電子メール等のデータに対して広告データを付加した上で、移動機ＭＳに配信する構成を採用している。このため、サービス態様の多様化を図し、もって、新たなビジネス展開をはかることも可能となる。
【０１１３】
なお、本実施形態においてゲートＧは、ブルートゥース等の通信Ｉ／Ｆを介して、各移動機ＭＳと通信を行い、当該移動機ＭＳに対応する加入者ＩＤを取得する構成としていた。しかし、他の方法により移動機ＭＳの加入者ＩＤを取得するようにしても良い。例えば、移動機ＭＳの加入者ＩＤを記録したＩＣタグを移動機ＭＳに貼付しておき、当該ＩＣタグに記録されている加入者ＩＤをゲートＧにおいて読み出して、施設内サーバＩＳに送信するようにしても良い。この場合、移動機ＭＳが中継装置Ｒと通信可能な状態となった時点で、当該移動機ＭＳに設定されたＭＡＣアドレス等を施設内サーバＩＳから取得し、当該取得したアドレスを利用して電子メールの送受信等を行うようにすれば良い。
【０１１４】
また、本実施形態において施設内サーバＩＳは、インターネットＩＮＥＴを介してゲートウェイサーバＧＷＳと通信を行う構成としているが、両サーバ間を専用線により接続して、この専用線を介して加入者ＩＤ等のデータを送受信するようにしても良い。更には、両サーバを一体として構成するようにしても良い。この場合、一体的に構成されたサーバが、施設内サーバＩＳ及びゲートウェイサーバＧＷＳの双方の機能を実現するようにすれば良い。
【０１１５】
また更に、本実施形態において移動機ＭＳは、施設内サーバＩＳを介してインターネットＩＮＥＴ上のリソースに対応するデータを取得する構成となっている。しかし、施設内サーバＩＳに各種のリソースを保持させ、当該リソースに対応するデータを移動機ＭＳに取得させるようにしても良い。更には、各種リソースを記録したサーバを専用線を介して施設内サーバＩＳと接続することにより、当該サーバの記録しているリソースに対応するデータを移動機ＭＳに取得させるようにしても良い。
【０１１６】
更に、本実施形態において、移動機ＭＳには、メーラ機能を有するブラウザを搭載していたが、ブラウザ機能とメーラ機能を夫々別々のアプリケーションにより、実現するようにしても構わない。
【０１１７】
更にまた、本実施形態において施設内サーバＩＳは、移動機ＭＳに対して配信すべきデータに対してタグにより広告データを付加する構成を採用している。しかし、移動機ＭＳに、所謂、マルチタスクによる処理が可能なブラウザを搭載し、電子メール等のデータと別個に広告データを処理するようにしても良い。
【０１１８】
また、施設内サーバＩＳは、１つの施設Ｉ内に複数存在しても良く、更には、複数の施設Ｉにおいて施設内サーバＩＳを共用するようにしても良い。
【０１１９】
また更に、本実施形態においては、施設内サーバＩＳがゲートウェイサーバＧＷＳに対して自動的に電子メールの転送登録を行う構成を採用している。しかし、転送の可否をユーザに決定させるようにしても良い。この場合、ゲートＧにおいて移動機ＭＳの通過が検出されたときに、当該移動機ＭＳに対して、例えば、「電子メールの転送を行いますか」等の文字列を表示するための画像データを送信し、当該画面に従ってユーザが入力部１３に行った入力操作に応じてゲートウェイサーバＧＷＳに対する転送登録を行うか否かを決定するようにすれば良い。
【０１２０】
また更に、本実施形態においては、施設Ｉ内に持ち込まれた移動機ＭＳに対して施設内サーバＩＳがローカルメールアドレスを決定し、当該メールアドレス宛に転送されてきた電子メールを施設内サーバＩＳが移動機ＭＳに配信する構成となっているが、当該処理の動作を規定するプログラムが記録された記録媒体と、それを読み取るコンピュータと、を備え、このコンピュータで当該プログラムを読み込むことによって上述と同様の処理動作を行うようにしてもよい。
【０１２１】
［１．３］実施形態の変形例
（１）変形例１
本変形例にかかる移動通信システムＳは、上記図１に示す実施形態にかかる移動通信システムＳと同様の構成により実現されるものである。従って、特に説明しない限り、上記図１に示す各要素は、上記実施形態と同様の構成を有し、同様の動作を行うものである。
【０１２２】
ここで、上記実施形態は、施設内サーバＩＳが施設Ｉ内に持ち込まれた移動機ＭＳに対してローカルメールアドレスを設定し、ゲートウェイサーバＧＷＳが当該移動機ＭＳ宛の電子メールをローカルメールアドレス宛に転送する構成を採用していた。これに対して本変形例にかかる移動通信システムＳは、事前に各移動機ＭＳの加入者ＩＤを施設内サーバＩＳに登録し、この際にローカルメールアドレスを設定しておくことにより施設Ｉ内においては当該ローカルメールアドレスを利用して電子メールの送受信を行うためのものである。
【０１２３】
なお、加入者ＩＤ等の登録方法は、任意である。例えば、移動機ＭＳのユーザが、書面等の方法により加入者ＩＤ等の情報を施設内サーバＩＳの保有者に連絡し、当該保有者が施設内サーバＩＳに登録するようにしても良い。また、ローカルメールアドレスを如何にして決定するかも任意である。例えば、移動機ＭＳのユーザにメールアカウントを選択さるようにしても良い。
【０１２４】
かかる機能を実現するため、本変形例にかかる施設内サーバＩＳのテーブル記録部２５に記録されている移動機管理テーブルＴＢＬ２の記録内容の一例を図８に示す。同図に示すように、移動機管理テーブルＴＢＬ２には各加入者ＩＤと対応付けて、上述した各種アドレスが格納される他、フラグｆが格納されている。
【０１２５】
ここで、このフラグｆは、当該加入者ＩＤに対応する移動機ＭＳが施設Ｉ内に存在しているか否かを示すフラグであり、当該フラグｆが”１”の場合、当該移動機ＭＳが施設Ｉ内に存在していることを意味し、”０”の場合、当該移動機ＭＳが施設Ｉ内に存在していないことを意味している。
【０１２６】
ゲートＧを通過した移動機ＭＳの加入者ＩＤがゲートＧから送られてくると、施設内サーバＩＳは、当該加入者ＩＤに対応するフラグｆが”１”であるか否かを判定する。かかる判定の結果、当該加入者ＩＤに対応するフラグｆが”０”の場合、当該移動機ＭＳが新たに施設Ｉ内に持ち込まれ、未だ、ＩＰアドレス等が決まっていないことを意味している。従って、当該フラグが”０”の場合、フラグｆを”１”に変更する。この際、上述した実施形態とは異なり施設内サーバＩＳは、ゲートウェイサーバＧＷＳに対して転送登録を行うことなく当該移動機ＭＳに対応するＩＰアドレスと、ＭＡＣアドレスを設定して移動機管理テーブルＴＢＬ２に格納する。
【０１２７】
そして、当該移動機ＭＳが施設Ｉ内に存在している間、施設内サーバＩＳは、移動機管理テーブルＴＢＬ２に格納されているＩＰアドレス等を利用してデータ通信サービス及び電子メールサービスを提供するのである。具体的には、移動機ＭＳは、施設内サーバＩＳを介してインターネットＩＮＥＴ内のリソースに対応するデータを取得することが可能となると共に、施設Ｉ内において施設内サーバＩＳによって割り当てられたローカルメールアドレスを利用してインターネットＩＮＥＴ内の他の端末との間において電子メールの送受信を行うことができるようになるのである。
【０１２８】
これに対して、ゲートＧから送られてきた加入者ＩＤに対応するフラグｆが”１”の場合、施設Ｉ内に存在していた移動機ＭＳが外部に持ち出されたことを意味している。このため、かかる場合にはフラグｆを”０”に変更すると共に、当該加入者ＩＤ等と対応付けて格納されているＩＰアドレスとＭＡＣアドレスを削除され、当該移動機ＭＳに対する電子メールサービス等が終了することとなる。なお、他の動作については、上述した実施形態と同様である。
【０１２９】
このようにして、本変形例にかかる移動通信システムＳは、各移動機ＭＳに固有のローカルメールアドレスを事前に設定しておき、移動機ＭＳは、施設Ｉ内において当該ローカルメールアドレスを利用して、電子メールの送受信を行う構成を採用している。このため、ゲートウェイサーバＧＷＳから電子メールの転送を行うことなく、当該移動機ＭＳに電子メールサービスを提供することが可能となり、もって、処理の簡素化を実現することが可能となる。
【０１３０】
なお、本変形例において施設内サーバＩＳは、事前に各移動機ＭＳに対してローカルメールアドレスを設定する構成を採用しているが、移動機ＭＳが施設Ｉ内に持ち込まれた際に、ローカルメールアドレスを設定するようにしても良い。この場合、移動機ＭＳは、当該ローカルメールアドレスを利用して電子メールを送信することが可能となる。
【０１３１】
（２）変形例２
上記実施形態においては、施設内サーバＩＳが施設Ｉ内に持ち込まれた移動機ＭＳに対してローカルメールアドレスを設定し、ゲートウェイサーバＧＷＳに転送登録を行う構成となっている。しかし、インターネットＩＮＥＴ上の他のサーバの所謂メールボックスサービス等を利用することも可能である。この場合、ローカルメールアドレスを設定しなくとも、当該メールボックスに対応するメールアドレス宛の電子メール本文が記述されたＨＴＭＬデータを当該サーバからダウンロードし、移動機ＭＳの表示部１４に表示することが可能となる。
【０１３２】
このようにして、本応用例によれば、ローカルメールアドレス宛の電子メールがインターネットＩＮＥＴ上のサーバに設けられているメールボックスに格納され、当該電子メール本文を記述したデータが移動機ＭＳによって受信される。このため、施設内サーバＩＳにおいてローカルメールアドレスを設定することなく電子メールの内容を確認することが可能となるので、施設内サーバＩＳにおける処理を簡素化することが可能となる。
【図面の簡単な説明】
【０１３３】
【図１】第１実施形態における移動通信システムＳの構成を示すブロック図である。
【図２】同実施形態における移動機ＭＳの構成を示すブロック図である。
【図３】同実施形態における施設内サーバＩＳの構成を示すブロック図である。
【図４】同実施形態における移動機管理テーブルＴＢＬ１の記録内容の一例を示す図である。
【図５】同実施形態における移動通信システムＳにおいて行われる処理を示すシーケンス図である。
【図６】同実施形態における移動通信システムＳにおいて行われる処理を示すシーケンス図である。
【図７】同実施形態における施設内サーバＩＳにおいて移動機管理テーブルＴＢＬ１を更新する際に、システム制御部２３が実行する処理を示すフローチャートである。
【図８】変形例における移動機管理テーブルＴＢＬ１の記録内容の一例を示す図である。
【符号の説明】
【０１３４】
Ｓ・・・移動通信システム
Ｉ・・・施設
Ｇ・・・ゲート
Ｒ・・・中継装置
ＩＳ・・・施設内サーバ
ＭＳ、ＭＳａ、ＭＳｂ・・・移動機
ＩＮＥＴ・・・インターネット
ＧＷＳ・・・ゲートウェイサーバ
ＭＰＮ・・・移動パケット通信網
１１・・・制御部
１２・・・送受信部
１３・・・入力部
１４・・・表示部
１５・・・通信Ｉ／Ｆ部
２１・・・ネットワークＩ／Ｆ部
２２・・・通信Ｉ／Ｆ部
２３・・・システム制御部
２４・・・広告データＤＢ
２５・・・テーブル記録部
【図１】
2005203965.tif 000003
【図２】
2005203965.tif 000004
【図３】
2005203965.tif 000005
【図４】
2005203965.tif 000006
【図５】
2005203965.tif 000007
【図６】
2005203965.tif 000008
【図７】
2005203965.tif 000009
【図８】
2005203965.tif 000010